(57)【要約】【課題】本発明によれば、待受画面として表示する画像の変更時に、時刻表示部の表示位置とサイズとをそれぞれ手動で設定する手間を省くことができ、ユーザが操作することなく待受画面の画像を有効的に変更できる。【解決手段】本発明による携帯電話機は、待受画面として表示する画像をランダムに選択するランダム選択手段と、ランダム選択手段が選択した画像から、顔の部分画像を検出する顔検出手段と、顔検出手段が検出した顔の部分画像と重ならないように、時刻表示部の表示位置及びサイズを決定する位置・サイズ決定手段とを備えたことを特徴とする。【選択図】図７
2009296397.tif 000002
【特許請求の範囲】
【請求項１】
待受画面として表示する画像をランダムに選択するランダム選択手段と、
前記ランダム選択手段が選択した前記画像から、顔の部分画像を検出する顔検出手段と、
前記顔検出手段が検出した前記顔の部分画像と重ならないように、時刻表示部の表示位置及びサイズを決定する位置・サイズ決定手段とを
備えたことを特徴とする携帯端末。
【請求項２】
ランダム選択手段が選択した画像と、位置・サイズ決定手段が決定した時刻表示部の表示位置及びサイズの値に基づいて設定した時刻表示部とを表示する画像表示手段を備えた
請求項１記載の携帯端末。
【請求項３】
時刻表示部の表示位置及びサイズの値を記憶する位置・サイズ記憶手段と、
位置・サイズ決定手段が決定した時刻表示部の表示位置及びサイズの値を前記位置・サイズ記憶手段に登録する位置・サイズ登録手段とを備えた
請求項１又は請求項２記載の携帯端末。
【請求項４】
位置・サイズ決定手段は、顔検出手段が顔の部分画像を検出できなかった場合、位置・サイズ記憶手段が記憶するあらかじめ定められた時刻表示部の表示位置及びサイズのデフォルト値に基づいて、時刻表示部の表示位置及びサイズを決定する
請求項１から請求項３のうちいずれか１項に記載の携帯端末。
【請求項５】
画像を記憶する画像記憶手段を備え、
ランダム選択手段は、前記画像記憶手段が記憶する前記画像からランダムに画像を選択する
請求項１から請求項４のうちいずれか１項に記載の携帯端末。
【請求項６】
携帯端末の待受画面として表示する画像をランダムに選択するランダム選択ステップと、
選択した前記画像から、顔の部分画像を検出する顔検出ステップと、
検出した前記顔の部分画像と重ならないように、時刻表示部の表示位置及びサイズを決定する位置・サイズ決定ステップとを
含むことを特徴とする時刻表示属性自動設定方法。
【請求項７】
選択した画像と、決定した時刻表示部の表示位置及びサイズの値に基づいて設定した時刻表示部とを表示する画像表示ステップを含む
請求項６記載の時刻表示属性自動設定方法。
【請求項８】
コンピュータに、
携帯端末の待受画面として表示する画像をランダムに選択するランダム選択処理と、
選択した前記画像から、顔の部分画像を検出する顔検出処理と、
検出した前記顔の部分画像と重ならないように、時刻表示部の表示位置及びサイズを決定する位置・サイズ決定処理とを
実行させるための時刻表示属性自動設定用プログラム。
【請求項９】
コンピュータに、
選択した画像と、決定した時刻表示部の表示位置及びサイズの値に基づいて設定した時刻表示部とを表示する画像表示処理を実行させる
請求項８記載の時刻表示属性自動設定用プログラム。
【発明の詳細な説明】
【技術分野】
【０００１】
本発明は、時刻表示部の表示位置及びサイズを自動で設定する携帯端末、時刻表示属性自動設定方法、及び時刻表示属性自動設定プログラムに関する。
【背景技術】
【０００２】
携帯電話機の待受画面として、ユーザが任意の画像を表示させる場合、待受画面中の時計表示が画像の中でも重要な部分に重なってしまうことがある。特に選択した画像が人物画像である場合には、顔の部分に時計が重なってしまうことは避けたい。
【０００３】
時計表示が重要な部分に重なることを避ける方法として、例えば、特許文献１には、選択した画像ごとに時計の表示位置とサイズとをユーザが自由に設定できる方法が記載されている。
【０００４】
また、特許文献２には、対象画像の画像データを解析して注目領域を検出し、自動的に検出した注目領域を避けて、文字列を対象画像に重ねて表示することができる方法が記載されている。
【特許文献１】特開２００３−００８６９４（段落０００９−００１１）
【特許文献２】特開２００５−１５９８５０（段落００４０−００４３）
【発明の開示】
【発明が解決しようとする課題】
【０００５】
特許文献１に記載の方法では、ユーザは、時計の表示位置とサイズとを自由に設定することができる。しかし、特許文献１に記載の方法では、ユーザは、待受画面として表示する画像を変更するたびに、時計の表示位置とサイズとをそれぞれ手動で設定し直さなければならない。そのため、ユーザにとっては手間がかかる。
【０００６】
また、特許文献２に記載の方法では、対象画像から検出した注目領域を避けて、文字列を対象画像に重ねて表示することができる。しかし、特許文献２に記載の方法では、ユーザは、対象画像を選択する操作を行わなくてはならなず、待受画面の変更に手間がかかる。
【０００７】
そこで、本発明は、待受画面として表示する画像の変更時に、時計の表示位置とサイズとをそれぞれ手動で設定する手間を省くことができ、ユーザが操作することなく待受画面の画像を有効的に変更できる携帯端末、時刻表示属性自動設定方法、及び時刻表示属性自動設定プログラムを提供することを目的とする。
【課題を解決するための手段】
【０００８】
本発明による携帯端末は、待受画面として表示する画像をランダムに選択するランダム選択手段と、ランダム選択手段が選択した画像から、顔の部分画像を検出する顔検出手段と、顔検出手段が検出した顔の部分画像と重ならないように、時刻表示部の表示位置及びサイズを決定する位置・サイズ決定手段とを備えたことを特徴とする。
【０００９】
本発明による時刻表示属性自動設定方法は、携帯端末の待受画面として表示する画像をランダムに選択するランダム選択ステップと、選択した画像から、顔の部分画像を検出する顔検出ステップと、検出した顔の部分画像と重ならないように、時刻表示部の表示位置及びサイズを決定する位置・サイズ決定ステップとを含むことを特徴とする。
【００１０】
本発明による時刻表示属性自動設定用プログラムは、コンピュータに、携帯端末の待受画面として表示する画像をランダムに選択するランダム選択処理と、選択した画像から、顔の部分画像を検出する顔検出処理と、検出した顔の部分画像と重ならないように、時刻表示部の表示位置及びサイズを決定する位置・サイズ決定処理とを実行させるためのものである。
【発明の効果】
【００１１】
本発明によれば、待受画面として表示する画像の変更時に、時刻表示部の表示位置及びサイズをそれぞれ手動で設定する手間を省くことができ、ユーザが操作することなく待受画面の画像を有効的に変更できる。
【発明を実施するための最良の形態】
【００１２】
実施形態１．
以下、本発明の第１の実施形態について図面を参照して説明する。図１は、本発明による携帯端末の構成の一例を示すブロック図である。図１に示すように、携帯端末１００は、キー入力部１０１、表示部１０２、無線部１０３、アンテナ部１０４、制御部１０５、及び記憶部１０６を含む。本実施形態では、携帯端末は、携帯電話機であるものとする。なお、携帯端末は、携帯電話機に限らず、例えば、ＰＨＳ端末等であってもよい。
【００１３】
キー入力部１０１は、具体的には、テンキーやスクロールキー、十字キー、決定キー等の入力装置によって実現され、ユーザの操作に従って、各種情報を入力する機能を備える。表示部１０２は、具体的には、ＬＤＣ等の表示装置によって実現され、待受画面や設定画面等を表示する機能を備える。
【００１４】
無線部１０３は、アンテナ部１０４を介して送受信する無線データの符号化や復号化等を行う機能を備える。アンテナ部１０４は、電波信号として無線データの送信や、受信等を行う機能を備える。
【００１５】
制御部１０５は、具体的には、プログラムに従って動作するＣＰＵ等によって構成される。制御部１０５は、画像から顔を検出する顔検出処理や、時刻表示部（以下、時計という）の表示位置及びサイズを設定する処理等を行う機能を備える。また、制御部１０５は、携帯端末１００が備える各構成部１０１〜１０６を制御する機能を備える。記憶部１０６は、具体的には、メモリ等の記憶装置によって実現され、画像や設定した情報等を記憶する。
【００１６】
図２は、図１に示す携帯端末の機能構成の一例を示す機能ブロック図である。図２に示すように、携帯端末１００は、画像記憶手段１１１、ランダム選択手段１１２、顔検出手段１１３、位置・サイズ算出手段１１４、位置・サイズ記憶手段１１５、位置・サイズ決定手段１１６、及び画像表示手段１１７を含む。
【００１７】
画像記憶手段１１１は、具体的には、記憶部１０６によって実現される。画像記憶手段１１１は、待受画面等に使用する画像データを記憶する。
【００１８】
ランダム選択手段１１２は、具体的には、制御部１０５によって実現される。ランダム選択手段１１２は、画像記憶手段１１１が記憶する画像データから、待受画面として使用する画像データをランダムに自動選択する機能を備える。
【００１９】
顔検出手段１１３は、具体的には、制御部１０５によって実現される。顔検出手段１１３は、対象となる画像から、顔の部分画像を検出する機能を備える。例えば、顔検出手段１１３は、対象画像中の各画素の特徴量を求め、特徴量の差分に基づいて、顔の部分画像を検出する。
【００２０】
位置・サイズ算出手段１１４は、具体的には、制御部１０５によって実現される。位置・サイズ算出手段１１４は、顔検出手段１１３が検出した顔の部分画像に重ならないように、時計を表示させる位置及びサイズの値を算出する機能を備える。
【００２１】
位置・サイズ記憶手段１１５は、具体的には、記憶部１０６によって実現される。位置・サイズ記憶手段１１５は、待受画面の画像に合わせて表示する時計の位置及びサイズに関する情報（例えば、表示位置の座標や、縦、横方向の大きさの値のデフォルト値）を記憶する。
【００２２】
位置・サイズ決定手段１１６は、具体的には、制御部１０５及び記憶部１０６によって実現される。位置・サイズ決定手段１１６は、顔検出手段１１３が顔を検出した場合には、位置・サイズ算出手段１１４が算出した位置及びサイズの値に基づいて、時計の表示位置及びサイズを決定する機能を備える。また、位置・サイズ決定手段１１６は、顔検出手段１１３が顔を検出できなかった場合には、あらかじめ設定されている時計の位置及びサイズのデフォルト値を、そのまま時計の表示位置及びサイズとして決定する機能を備える。
【００２３】
画像表示手段１１７は、具体的には、表示部１０２及び制御部１０５によって実現される。画像表示手段１１７は、ランダム選択手段１１２が選択した画像と、位置・サイズ決定手段１１６が決定した位置及びサイズの値に基づいて設定した時計とを表示部１０２に表示する機能を備える。
【００２４】
次に、動作について説明する。図３は、顔検出による時計表示属性自動設定の一例を示す説明図である。図３に示すように、携帯端末１００は、顔検出処理により、対象画像から顔の部分を検出する。そして、携帯端末１００は、対象画像の顔の部分に重ならないように時計の位置及びサイズを自動的に設定する。
【００２５】
図４は、ランダムでの自動画像選択時における時計の表示位置及びサイズを設定する処理の一例を示す流れ図である。なお、本発明の携帯端末は、あらかじめ記憶部１０６に時計を表示させる位置及びサイズのデフォルト値として、位置（Ｘｏ、Ｙｏ）、及びサイズｏの値を記憶している。
【００２６】
まず、制御部１０５は、携帯端末の電源がオン状態とされると、待受画面として表示する画像を、記憶部１０６が記憶している画像データの中から、ランダムに選択して設定する（ステップＳ１０１）。ここで、処理開始のタイミングは、電源がオン状態とされるときに限らず、表示部１０２の表示内容が待受画面以外の画面（例えば、通話中画面）から待受画面に切り替えられるタイミング等でもよい。また、所定時間ごとに待受画面として表示する画像を選択しなおすようにしてもよい。
【００２７】
次いで、制御部１０５は、設定した画像について顔検出処理を実施する（ステップＳ１０２）。そして、制御部１０５は、顔検出処理の結果に基づき、待受画面の画像中に顔の部分画像が存在するか否かを判定する（ステップＳ１０３）。
【００２８】
制御部１０５は、顔の部分画像が存在すると判定した場合には、画像の顔の部分画像に重ならないように、時計を表示する位置（Ｘａ、Ｙａ）、及びサイズａの値を算出する。そして、制御部１０５は、算出した値に基づいて、時計の表示位置及びサイズの値を決定する（ステップＳ１０４）。
【００２９】
また、制御部１０５は、選択された画像が風景であったり、顔が小さくて判別できない等の理由で、顔の部分画像が存在しないと判定した場合には、記憶部１０６から、あらかじめデフォルトで設定している位置（Ｘｏ、Ｙｏ）、及びサイズｏの値を抽出する。そして、制御部１０５は、抽出した値をそのまま時計の表示位置及びサイズの値として決定する（ステップＳ１０５）。
【００３０】
次いで、制御部１０５は、ステップＳ１０１で選択した画像と、及びステップＳ１０４、又はステップＳ１０５で決定した位置及びサイズの値に基づいて設定した時計とを表示部１０２に表示させる（ステップＳ１０６）。
【００３１】
なお、時計の表示位置及びサイズの値の算出方法としては、例えば、次のような方法がある。まず、制御部１０５は、ステップＳ１０２で検出した顔以外の画素を特定する。次に、制御部１０５は、特定した画素を組合わせてできる矩形領域を特定する。ここで、矩形領域を複数特定できた場合には、最も大きい領域を選択するとしてもよい。また、時計がアナログ時計表示の場合には、矩形ではなく、円形領域を特定するとしてもよい。次に、制御部１０５は、特定した矩形領域に時計を配置する。ここで、矩形領域内での時計の位置は、領域の中央、又は色の変化が最も少ない場所としてもよい。また、矩形領域が標準時計サイズより小さい場合には、時計のサイズを矩形領域に合わせて縮小するようにしてもよい。
【００３２】
以上のように、本実施形態によれば、携帯端末は、顔検出処理によって画像の顔の部分を特定する。そして、特定した顔の部分に重ならないように時計を表示する。そのようにすることにより、ユーザが待受画面を見た際に一番表示させておきたい部分（人物の顔の部分）が見難くならないようにできる。また、自動的に画像に合わせて適切に時計を表示できることから、どの画像であっても顔の部分と時計が重なることがなく、待受画面の画像を自動的に変更する設定を有効的に実現することができる。
【００３３】
実施形態２．
次に、本発明の第２の実施形態について図面を参照して説明する。図５は、第２の実施形態における図１に示す携帯端末の機能構成の一例を示す機能ブロック図である。図５に示すように、本実施形態では、携帯端末１００が、画像選択手段１１８と、位置・サイズ登録手段１１９とを含み、ランダム選択手段１１２を含まない点で、第１の実施形態と異なる。なお、携帯端末１００は、第１の実施形態で示した構成要素に加えて、画像選択手段１１８、及び位置・サイズ登録手段１１９を含んでもよい。
【００３４】
本実施形態において、第１の実施形態との相違点は、携帯端末１００が、画像選択手段１１８と、位置・サイズ登録手段１１９とを含み、ランダム選択手段１１２を含まないのみであり、その他の機能構成については、第１の実施形態と同様（図２参照）である。従って、その他の機能構成に関しては説明を省略する。
【００３５】
画像選択手段１１８は、具体的には、キー入力部１０１及び制御部１０５によって実現される。画像選択手段１１８は、利用者の操作に従って、待受画面として使用する画像を選択する機能を備える。
【００３６】
位置・サイズ登録手段１１９は、具体的には、制御部１０５によって実現される。位置・サイズ登録手段１１９は、位置・サイズ決定手段１１６が決定した位置及びサイズの値を記憶部１０６に登録する機能を備える。
【００３７】
次に、動作について説明する。図６は、手動での画像選択時における時計の表示位置及びサイズを設定する処理の一例を示す流れ図である。
【００３８】
まず、利用者は、キー入力部１０１を用いて、待受画面として表示させる画像を保存データから選択する操作を行う。すると、制御部１０５は、利用者の操作に従って、待受画面として表示する画像を記憶部１０６が記憶している画像データの中から選択して設定する（ステップＳ２０１）。
【００３９】
次に、制御部１０５は、設定した画像について顔検出処理を実施する（ステップＳ２０３）。次いで、制御部１０５は、顔検出処理の結果に基づいて、待受画面の画像中に顔の部分画像が存在するか否かを判定する（ステップＳ２０３）。
【００４０】
そして、制御部１０５は、顔の部分画像が存在すると判定した場合には、画像の顔の部分画像に重ならないように、時計を表示させる位置（Ｘｂ、Ｙｂ）、及びサイズｂの値を算出する。そして、制御部１０５は、算出した値に基づいて、時計の表示位置及びサイズの値を決定する（ステップＳ２０４）。
【００４１】
また、制御部１０５は、顔の部分画像が存在しないと判定した場合には、記憶部１０６から、あらかじめデフォルトで設定している位置（Ｘｏ、Ｙｏ）、及びサイズｏの値を抽出する。そして、制御部１０５は、抽出した値をそのまま時計の表示位置及びサイズの値として決定する（ステップＳ２０５）。
【００４２】
次いで、制御部１０５は、ステップＳ２０４、又はステップＳ２０５で決定した時計の表示位置及びサイズの値を記憶部１０６へ記憶する（ステップＳ２０６）。
【００４３】
次いで、制御部１０５は、ユーザがキー入力部１０１を操作して待受画面を表示させると、ステップＳ２０１で選択した画像と、ステップＳ２０５で記憶した表示位置及びサイズの値に基づいて設定した時計とを表示部１０２に表示する（ステップＳ２０７）。
【００４４】
以上のように、本実施形態によれば、時計の表示位置やサイズを自動的に設定し、登録することで、ユーザが画像を選択する度に手動で位置やサイズを決める手間を省くことができる。
【００４５】
次に、本発明による携帯端末の最小構成について説明する。図７は、携帯端末の最小の構成例を示す機能ブロック図である。図７に示すように、携帯端末は、最小の構成要素として、ランダム選択手段１１２と、顔検出手段１１３と、位置・サイズ決定手段１１６とを含む。
【００４６】
図７に示す最小構成の携帯端末において、ランダム選択手段１１２は、待受画面として使用する画像をランダムに選択する機能を備える。また、顔検出手段１１３は、ランダム選択手段１１２が選択した画像から、顔の部分画像を検出する機能を備える。また、位置・サイズ決定手段１１６は、顔検出手段１１３が検出した顔の部分画像と重ならないように、時計の表示位置及びサイズを決定する機能を備える。
【００４７】
図７に示す最小構成の携帯端末によれば、待受画面の画像を変更した場合、自動的に画像にある人の顔の部分を避け、適切に時計の位置及びサイズを設定し、配置する。従って、時計が人の顔の部分に重なることなく、待受画面の画像を自動的に変更することができる。
【００４８】
なお、本実施形態では、以下の（１）〜（５）に示すような携帯端末の特徴的構成が示されている。
【００４９】
（１）携帯端末（例えば、携帯端末１００）は、待受画面として表示する画像をランダムに選択するランダム選択手段（例えば、ランダム選択手段１１２によって実現される）と、ランダム選択手段が選択した画像から、顔の部分画像を検出する顔検出手段（例えば、顔検出手段１１３によって実現される）と、顔検出手段が検出した顔の部分画像と重ならないように、時刻表示部の表示位置及びサイズを決定する位置・サイズ決定手段（例えば、位置・サイズ決定手段１１６によって実現される）とを備えたことを特徴とする。
【００５０】
（２）携帯端末は、ランダム選択手段が選択した画像と、位置・サイズ決定手段が決定した時刻表示部の表示位置及びサイズの値に基づいて設定した時刻表示部とを表示する画像表示手段（例えば、画像表示手段１１７によって実現される）を含むように構成されていてもよい。
【００５１】
（３）携帯端末は、時刻表示部の表示位置及びサイズの値を記憶する位置・サイズ記憶手段（例えば、位置・サイズ記憶手段１１５によって実現される）と、位置・サイズ決定手段が決定した時刻表示部の表示位置及びサイズの値を位置・サイズ記憶手段に登録する位置・サイズ登録手段（例えば、位置・サイズ登録手段１１９によって実現される）とを含むように構成されていてもよい。
【００５２】
（４）位置・サイズ決定手段は、顔検出手段が顔の部分画像を検出できなかった場合、位置・サイズ記憶手段が記憶するあらかじめ定められた時刻表示部の表示位置及びサイズのデフォルト値（例えば、位置（Ｘｏ、Ｙｏ）、サイズｏ）に基づいて、時刻表示部の表示位置及びサイズを決定するように構成されていてもよい。
【００５３】
（５）携帯端末は、画像を記憶する画像記憶手段（例えば、画像記憶手段１１１によって実現される）を備え、ランダム選択手段は、画像記憶手段が記憶する画像からランダムに画像を選択するよう構成されていてもよい。
【産業上の利用可能性】
【００５４】
本発明を、携帯端末の待受画面の画像に合わせて、時計の位置及びサイズを適切に設定する用途に適用できる。
【図面の簡単な説明】
【００５５】
【図１】携帯端末の構成の一例を示すブロック図である。
【図２】図１に示す携帯端末の機能構成の一例を示す機能ブロック図である。
【図３】顔検出による時計表示属性自動設定の一例を示す説明図である。
【図４】ランダムでの自動画像選択時における時計の表示位置及びサイズを設定する処理の一例を示す流れ図である。
【図５】図１に示す携帯端末の機能構成の一例を示す機能ブロック図である。
【図６】手動での画像選択時における時計の表示位置及びサイズを設定する処理の一例を示す流れ図である。
【図７】携帯端末の最小の構成例を示す機能ブロック図である。
【符号の説明】
【００５６】
１００  携帯端末
１０１  キー入力部
１０２  表示部
１０３  無線部
１０４  アンテナ部
１０５  制御部
１０６  記憶部
１１１  画像記憶手段
１１２  ランダム選択手段
１１３  顔検出手段
１１４  位置・サイズ算出手段
１１５  位置・サイズ記憶手段
１１６  位置・サイズ決定手段
１１７  画像表示手段
１１８  画像選択手段
１１９  位置・サイズ登録手段
【図１】
2009296397.tif 000003
【図２】
2009296397.tif 000004
【図３】
2009296397.tif 000005
【図４】
2009296397.tif 000006
【図５】
2009296397.tif 000007
【図６】
2009296397.tif 000008
【図７】
2009296397.tif 000009